(57)【要約】【課題】  光増幅装置が多段に直列接続された場合にも、安定な動作を実現可能な波長多重伝送システムを提供する。【解決手段】  レベル調整制御部３４は、自装置がレベル制御機能を働かせている間は、ノード間制御信号１０５により、後段の光増幅装置に対して当該制御機能を働かせていることを通知する。ノード間制御信号１０４により、前段から、前段の装置が制御機能を働かせていることを通知された光増幅装置は、自装置の光レベル調整制御部３２の動作を停止する。こうすることにより、レベル調整機能を働かせる光増幅装置が、光伝送路中において単一となるために、安定したレベル調節を行うことができる。【選択図】      図２
2008211692.tif 000002
【特許請求の範囲】
【請求項１】
光レベルをモニタしてこのモニタ結果に応じて光レベルの調整をなす光レベル調整機能を有する複数の光増幅装置を含む光伝送システムであって、
前記複数の光増幅装置のうち単一の光増幅装置における前記光レベル調整機能を働かせるようにしたことを特徴とする光伝送システム。
【請求項２】
前記光増幅装置は、自身の光レベル調整機能が働いている場合には、その旨を他の光増幅装置へ通知することを特徴とする請求項１記載の光伝送システム。
【請求項３】
前記光装増幅置は、他の光増幅装置からその光レベル調整機能が働いていることを通知された場合には、自身の光レベル調整機能を停止させることを特徴とする請求項１または２記載の光伝送システム。
【請求項４】
前記光増幅装置間において、前記光レベル調整機能が働いていることを通知するためのノード間制御信号を用いることを特徴とする請求項１〜３いずれか記載の光伝送システム。
【請求項５】
光伝送システムにおける光増幅装置であって、
光レベルをモニタしてこのモニタ結果に応じて光レベルの調整をなす光レベル調整手段と、
他の光増幅装置から当該他の光増幅装置の光レベル調整手段が働いていることを通知された場合には、自身の光レベル調整手段の機能を停止し、自身の光レベル調整手段が働いている場合には、他の光増幅装置にその旨を通知する手段とを含むことを特徴とする光増幅装置。
【請求項６】
ノード間制御信号を用いて、前記光レベル調整手段が働いていることを通知することを特徴とする請求項５記載の光増幅装置。
【発明の詳細な説明】
【技術分野】
【０００１】
本発明は光伝送システム及びそれに用いる光増幅装置に関し、特に波長多重伝送システムに関するものである。
【背景技術】
【０００２】
従来の波長多重伝送システムを図３に示す。従来の波長多重伝送システムは、送信側である波長多重装置１と、光増幅装置２，３と、受信側である波長分離装置４とを含んで構成されている。長距離伝送を実現するため、一般には、光増幅装置は多数を直列に接続してシステムが構成されるが、図の例では、簡単化のために２個の光増幅装置２，３が示されている。
【０００３】
波長多重装置１は、複数のトランスポンダ１１〜１４と、これらトランスポンダ１１〜１４の出力を多重化する多重器１５とを有しており、この波長多重装置１からのＷＤＭ（Waveleength Divison Multiplexing）信号が、光伝送路及び光増幅装置２，３を介して受信側である波長分離装置４へ供給される。波長分離装置４は、受信光の波長分離をなす分離器４１と、これら分離出力を処理する複数のトランスポンダ４２〜４５とを有する。
【０００４】
図３に示した従来の光増幅装置３の構成を図４に示す。なお、図３の光増幅装置２の構成も光増幅装置３と同一であるので、その説明は省略する。光増幅装置３は、ＷＤＭ信号を増幅する光アンプ３１と、この光アンプ出力のレベル調整をなす光レベル調整部３２と、この光レベル調整部３２の出力レベルをモニタして、光レベル調整部３２におけるレベル制御をなす光レベルモニタ部３３とを有している。光レベルモニタ部３３でのモニタ結果が、光レベル調整部３２にフィードバックされて、光増幅装置３の出力レベルを一定に保つように制御されるようになっている。
【０００５】
なお、関連する技術として特許文献１〜３がある。
【特許文献１】特開２００１−０１６１６９号公報
【特許文献２】特開２００１−１４４６９２号公報
【特許文献３】特開２００５−２７７８４２号公報
【発明の開示】
【発明が解決しようとする課題】
【０００６】
しかしながら、上述した従来の波長多重伝送システムにおいては、直列に接続された光増幅装置がそれぞれに独立して動作するようになっているために、伝送される光レベルが不安定になる場合があるという課題がある。
【０００７】
本発明の目的は、光増幅装置が多段に直列接続された場合にも安定な動作を実現可能な光伝送システム及びそれに用いる光増幅装置を提供することである。
【課題を解決するための手段】
【０００８】
本発明による光伝送システムは、光レベルをモニタしてこのモニタ結果に応じて光レベルの調整をなす光レベル調整機能を有する複数の光増幅装置を含む光伝送システムであって、前記複数の光増幅装置のうち単一の光増幅装置における前記光レベル調整機能を働かせるようにしたことを特徴とする。
【０００９】
本発明による光増幅装置は、光伝送システムにおける光増幅装置であって、光レベルをモニタしてこのモニタ結果に応じて光レベルの調整をなす光レベル調整手段と、他の光増幅装置から当該他の光増幅装置の光レベル調整手段が働いていることを通知された場合には、自身の光レベル調整手段の機能を停止し、自身の光レベル調整手段が働いている場合には、他の光増幅装置にその旨を通知する手段とを含むことを特徴とする。
【発明の効果】
【００１０】
本発明によれば、光増幅装置間にて制御機能の動作状態を通知するようにしたので、レベル調整機能を働かせる光増幅装置が、光伝送路中において単一となり、よって安定したレベル調節を行うことができるという効果がある。
【発明を実施するための最良の形態】
【００１１】
以下に、本発明の実施例について図面を参照して説明する。図１は本発明の実施例を示すシステム図であり、図３と同等部分は同一符号により示している。図１において、本発明の実施例による波長多重伝送システムは、送信側である波長多重装置１と、光増幅装置２，３と、受信側である波長分離装置４とを含んで構成されている。長距離伝送を実現するために、一般には、光増幅装置は多数を直列に接続してシステムが構成されるが、図１の例では、簡単化のために２個の光増幅装置が示されている。
【００１２】
光増幅装置間には、伝送対象となるＷＤＭ信号に加えて、ノード間制御信号１０４，１０５をも伝送するようになっている。これらノード間制御信号は、前段の光増幅装置がレベル調整制御機能を働かせていることを後段の光増幅装置に通知する機能を有している。後段の光増幅装置は前段の光増幅装置がレベル調整制御機能を働かせている間は、自装置のレベル調整制御機能の動作を停止するようになっている。
【００１３】
図２は光増幅装置３の機能ブロック図を示しており、図４と同等部分は同一符号により示している。本発明では、図４の従来例の構成に、レベル調整制御部３４を追加して設けている。
【００１４】
入力ＷＤＭ信号は、光アンプ３１によって増幅されてＷＤＭ信号内の個々の光信号の光レベルを一定に保つための光レベル調整部３２に入力される。この光レベル調整部３２の出力ＷＤＭ信号を、光レベルモニタ部３３においてモニタして、個々の信号レベルを検出し、レベル調整制御部３４を通じて、光レベル調整部３２のレベル調整制御をなすのである。
【００１５】
レベル調整制御部３４は、自装置が制御機能を働かせている間は、ノード間制御信号１０５により、後段の光増幅装置に対して当該制御機能を働かせていることを通知する。ノード間制御信号１０４により、前段から、前段の装置が制御機能を働かせていることを通知された光増幅装置は、自装置のレベル調整制御部３２の動作を停止することになる。
【００１６】
こうすることにより、光増幅装置間にて制御機能の動作状態を通知することができ、よってレベル調整機能を働かせる光増幅装置が、光伝送路中において単一となるために、安定したレベル調節を行うことができるのである。
【図面の簡単な説明】
【００１７】
【図１】本発明の実施例のシステム構成図である。
【図２】図１の光増幅装置の例を示すブロック図である。
【図３】従来の波長多重伝送システムの構成図である。
【図４】図３の光増幅装置の例を示すブロック図である。
【符号の説明】
【００１８】
１  波長多重装置
２，３  光増幅装置
４  波長分離装置
３１  光アンプ
３２  光レベル調整部
３３  光レベルモニタ部
３４  レベル調整制御部
【図１】
2008211692.tif 000003
【図２】
2008211692.tif 000004
【図３】
2008211692.tif 000005
【図４】
2008211692.tif 000006